(57)【要約】      （修正有）【課題】魚の脂肪率を基に競りに参加するか否か、参加する場合の入札価格をいずれに決定するかの情報を入手する装置を提供する。【解決手段】インターネット１６を介してビデオカメラ１２と携帯端末１８とが接続され、カメラ１２は、魚２と、その魚２の脂肪率が記録されたタグ４とを対にした撮影対象を複数、同一画面に撮影して得た複数撮影情報を、ネット１６を介して携帯端末１８に送信する。携帯端末１８は、受信した複数撮影情報に基づき複数の撮影対象を画面に表示し、表示された複数の撮影対象のうち指示キーによって指定された単数の撮影対象を表す単数撮影情報を、ネット１６を介してカメラ１２に送信する。カメラ１２は、受信した単数撮影情報が表す撮影対象のタグ４を撮影して得た記録体情報を、ネット１６を介して携帯端末１８に送信する。携帯端末１８は、送信された記録体情報を受信し、その記録体情報に基づき脂肪率を読み取って、表示する。【選択図】図１
2019114175.tif 000002
【特許請求の範囲】
【請求項１】
ネットワークを介して情報の送受が可能に接続された撮影手段と、表示手段及び指定手段を有する情報送受信手段とを、有し、
前記撮影手段は、魚と、その魚の脂肪率が記録された記録体とを対にした撮影対象を複数、同一画面に撮影して得た複数撮影情報を、前記ネットワークを介して前記情報送受信手段に送信する機能を有し、
前記情報送受信手段は、前記ネットワークを介して送信された複数撮影情報を受信し、その受信した複数撮影情報に基づいて前記表示手段に、前記複数の撮影対象を表示する機能と、前記表示手段に表示された複数の撮影対象のうち前記指定手段によって指定された単数の撮影対象を表す単数撮影情報を、前記ネットワークを介して前記撮影手段に送信する機能とを、有し、
前記撮影手段は、前記ネットワークを介して受信した前記単数撮影情報が表す撮影対象の前記記録体を撮影して得た記録体情報を、前記ネットワークを介して前記情報送受信手段に送信する機能を有し、
前記情報送受信手段は、前記ネットワークを介して送信された前記記録体情報を受信し、受信した前記記録体情報に基づいて脂肪率を読み取って、前記表示手段に表示する機能とを、有する
魚の競り事前情報入手装置。
【請求項２】
ネットワークを介して情報の送受が可能に接続された撮影手段と、表示手段及び指定手段を有する情報受信手段とを、有し、
前記撮影手段は、魚と、その魚の脂肪率が記録された記録体とを対にした撮影対象を複数、同一画面に撮影して得た複数撮影情報を、前記ネットワークを介して前記情報受信手段に送信する機能を有し、
前記情報受信手段は、前記ネットワークを介して送信された複数撮影情報を受信し、その受信した複数撮影情報に基づいて前記表示手段に、前記複数の撮影対象を表示する機能と、前記表示手段に表示された複数の撮影対象のうち前記指定手段によって指定された単数の撮影対象の記録体を表す記録体情報を、前記複数撮影情報から抽出する機能と、抽出した前記記録体情報に基づいて脂肪率を読み取って、前記表示手段に表示する機能とを、有する
魚の競り事前情報入手装置。
【請求項３】
ネットワークを介して情報の送受が可能に接続された撮影手段と、表示手段及び指定手段を有する情報送受信手段とを、有し、
前記撮影手段は、同一種類の複数の魚のうちの１つ魚と、当該１つの魚の脂肪率のランクとが記録された記録体とを、対にした撮影対象を、複数同時に撮影して得た複数撮影情報を、前記ネットワークを介して前記情報送受信手段に送信する機能を有し、
前記情報送受信手段は、前記ネットワークを介して送信された複数撮影情報を受信し、その受信した複数撮影情報に基づいて前記表示手段に、前記複数の撮影対象を表示する機能と、前記表示手段に表示された複数の撮影対象のうち前記指定手段によって指定された単数の撮影対象を表す単数撮影情報を、前記ネットワークを介して前記撮影手段に送信する機能とを、有し、
前記撮影手段は、前記ネットワークを介して受信した前記単数撮影情報が表す撮影対象の前記記録体を撮影して得た記録体情報を、前記ネットワークを介して前記情報送受信手段に送信する機能を有し、
前記情報送受信手段は、前記ネットワークを介して送信された前記記録体情報を受信し、受信した前記記録体情報に基づいてランクを読み取って、前記表示手段に表示する機能とを、有する
魚の競り事前情報入手装置。
【請求項４】
ネットワークを介して情報の送受が可能に接続された撮影手段と、表示手段及び指定手段を有する情報受信手段とを、有し、
前記撮影手段は、同一種類の複数の魚のうちの１つ魚と、当該１つの魚の脂肪率のランクとが記録された記録体とを、対にした撮影対象を、複数同時に撮影して得た複数撮影情報を、前記ネットワークを介して前記情報受信手段に送信する機能を有し、
前記情報受信手段は、前記ネットワークを介して送信された複数撮影情報を受信し、その受信した複数撮影情報に基づいて前記表示手段に、前記複数の撮影対象を表示する機能と、前記表示手段に表示された複数の撮影対象のうち前記指定手段によって指定された単数の撮影対象の記録体を表す記録体情報を、前記複数撮影情報から抽出する機能と、抽出した前記記録体情報に基づいて前記指定された魚のランクを読み取って、前記表示手段に表示する機能とを、有する
魚の競り事前情報入手装置。
【請求項５】
競りにかけられる同一種類の複数の魚の測定された脂肪率をランク付けして得られた１つの魚のランクが記録され、当該ランクの魚と関連付けられて配置された記録体から、前記魚のランクを読み取る読み取り手段と、
読み取った魚のランクを可視状態で出力する出力手段とを、
有する
魚の競り事前情報入手装置。
【請求項６】
競りにかけられる魚の測定された脂肪率が記録され、当該脂肪率の魚と関連付けられて配置された記録体から、前記魚の脂肪率を読み取る読み取り手段と、
読み取った魚の脂肪率を可視状態で出力する出力手段とを、
有する
魚の競り事前情報入手装置。
【発明の詳細な説明】
【技術分野】
【０００１】
本発明は、魚の競りの事前に、競りに関連する情報を入手するための装置に関する。
【背景技術】
【０００２】
魚の競りでは、入荷されている各魚を競り場で競り参加者が事前に目で観察して、どの魚にどのような価格で入札するかを判断するのが一般的である。近年、魚の品質に関する情報として、特許文献１、２に開示されているように、脂肪率を測定することが可能である。
【先行技術文献】
【特許文献】
【０００３】
【特許文献１】特許第４４６２９５２号公報
【特許文献２】特開２０１６−８７２５３号公報
【発明の概要】
【発明が解決しようとする課題】
【０００４】
魚の脂肪率は、その魚の競りに参加するか否か、参加する場合の入札価格をいくらにするかの判断の材料として非常に有用である。しかし、魚の競りの事前情報として魚の脂肪率を使用するための装置は存在しない。
【０００５】
本発明は、魚の脂肪率を魚の競りの事前情報として使用可能とする魚の競り事前情報入手装置を提供することを目的とする。
【課題を解決するための手段】
【０００６】
本発明の一態様の魚の競り事前情報入手装置は、ネットワークを介して情報の送受が可能に接続された撮影手段及び情報送受信手段を有している。撮影手段として、動画撮影手段、例えばビデオカメラとすることもできるし、静止画を撮影するスチールカメラを使用することもできる。情報送受信手段は、表示手段及び指定手段を備えている。情報送受信手段としては、例えばスマートフォン、携帯電話、タブレットパソコンまたはノートパソコン等の携帯可能な携帯端末を使用することができる。前記撮影手段は、魚とその魚の脂肪率が記録された記録体とを、対にした撮影対象を複数同一画面に撮影して得た複数撮影情報を、前記ネットワークを介して前記情報送受信手段に送信する機能を有している。ネットワークとしては、例えばインターネットを使用することができる。記録体としては、例えばバーコードまたは２次元バーコードを記録したものを使用することができる。記録体は、魚に取り付けることもできるし、魚の近傍に配置することもできる。前記情報送受信手段は、前記ネットワークを介して送信された複数撮影情報を受信し、その受信した複数撮影情報に基づいて、前記表示手段に前記複数の撮影対象を表示する機能と、前記表示手段に表示された複数の撮影対象のうち前記指定手段によって指定された単数の撮影対象を表す単数撮影情報を、前記ネットワークを介して前記撮影手段に送信する機能とを、有している。前記撮影手段は、前記ネットワークを介して受信した前記単数撮影情報が表す撮影対象の前記記録体を撮影して得た記録体情報を、前記ネットワークを介して前記情報送受信手段に送信する機能を有している。前記情報送受信手段は、前記ネットワークを介して送信された前記記録体情報を受信し、受信した前記記録体情報に基づいて脂肪率を読み取って、前記表示手段に表示する機能とを、有している。
【０００７】
このように構成された魚の競り事前情報入手装置では、情報送受信手段を有している競り参加者は、情報送受信手段の表示手段に複数撮影情報に基づいて表示されている複数の撮影対象（魚と対応する記録体）のうちから、関心のある魚を見出すと、その関心のある魚の単数撮影情報を情報送受信手段の指定手段によって指定して、撮像手段にネットワークを介して送信する。撮像手段は、受信した単数撮影情報が表す撮影対象の魚の記録体を撮影した記録体情報を、ネットワークを介して情報送受信手段に送信する。情報送受信手段は、受信した記録体情報に基づいて、指定された魚の脂肪率を表示手段に表示する。競り参加者は、この表示を見て、脂肪率を知ることができる。他の魚についても同様にして脂肪率を知ることができる。これら脂肪率を参考にして、いずれの魚の競りに参加するか、参加する場合の入札価格を決定することができ、特に、競り場にいない競り参加者も競り場にいる競り参加者と同一条件で競りに参加することができる。
【０００８】
本発明による魚の競り事前情報入手装置の他の態様は、上記の一態様と同様に撮影手段を有し、記録体には、上記の一態様と同様に脂肪率が記録されている。前記撮影手段は、上記一態様と同様に、複数撮影情報を前記ネットワークを介して情報受信手段に送信する機能を有している。情報受信手段には、上記一態様の情報受信手段と同様に、例えばスマートフォン、携帯電話、タブレットパソコンまたはノートパソコン等の携帯可能な携帯端末を使用することができ、情報受信手段は、受信した複数撮影情報に基づいて前記表示手段に、前記複数の撮影対象を表示する機能を有している。更に、情報受信手段は、前記表示手段に表示された複数の撮影対象のうち前記指定手段によって指定された単数の撮影対象の記録体を表す記録体情報を、前記複数撮影情報から抽出する機能と、抽出した前記記録体情報に基づいて脂肪率を読み取って、前記表示手段に表示する機能とを有している。
【０００９】
この態様の魚の競り事前情報入手装置によれば、上記の一態様と同様にいずれの魚の競りに参加するか、参加する場合の入札価格を決定することができ、特に、競り場にいない競り参加者も競り場にいる競り参加者と同一条件で競りに参加することができる。その上に、撮影手段は、複数撮影情報をネットワークを介して情報受信手段に送信するだけでよく、撮影手段の構成を簡略化することができるし、ネットワークも複数撮影情報の情報受信手段への送信だけでよく、撮影手段と情報受信手段との間の情報の送受が不要であり、ネットワークの負担も少ない。
【００１０】
本発明による魚の競り事前情報入手装置の更に他の態様は、上記の一態様と同様に撮影手段と情報送受信手段とを有している。魚と共に１つの撮影対象を構成している記録体には、その魚の脂肪率が、撮影対象の各魚のうちのいずれのランクであるかが記録されている。なお、実際の脂肪率も、このランクと共に記録することもできる。この場合、撮影対象は、同一種類の魚とすることが望ましい。前記情報送受信手段は、前記ネットワークを介して送信された複数撮影情報を受信し、その受信した複数撮影情報に基づいて前記表示手段に、前記複数の撮影対象を表示する機能と、前記表示手段に表示された複数の撮影対象のうち前記指定手段によって指定された単数の撮影対象を表す単数撮影情報を、前記ネットワークを介して前記撮影手段に送信する機能とを、有している。前記撮影手段は、前記ネットワークを介して受信した前記単数撮影情報が表す撮影対象の前記記録体を撮影して得た記録体情報を、前記ネットワークを介して前記情報送受信手段に送信する機能を有している。前記情報送受信手段は、前記ネットワークを介して送信された前記記録体情報を受信し、受信した前記記録体情報に基づいてランクを読み取って、前記表示手段に表示する機能を有している。
【００１１】
このように構成された魚の競り事前情報入手装置では、上述した一態様の競り事前情報入手装置と同様に、複数の撮影対象が情報送受信手段の表示手段に表示される。競り参加者は、表示された魚のうち、関心のあるものを指定手段で指定して撮影手段に送信すると、表示手段には、指定した魚の脂肪率のランクが表示される。同様にして、他の魚の脂肪率のランクを知ることができる。このようにして得た魚の脂肪率のランクを参考にして、競り場にいない競り参加者でも、競りに参加するか否かを決定し、参加する場合、その入札価格を決定することができる。
【００１２】
本発明による魚の競り事前情報入手装置の別の態様は、上述した他の態様と同様に撮影手段と情報受信手段とを有している。記録体には、上述した更に他の態様と同様に、記録体が取り付けられている魚の脂肪率が、撮影対象の各魚のうちのいずれのランクであるかが記録されている。前記撮影手段は、上述した他の態様と同様に複数の撮影対象を、同一画面に撮影して得た複数撮影情報を、ネットワークを介して情報受信手段に送信している。情報受信手段は、上記更に他の態様の情報受信手段と同様に、受信した複数撮影情報に基づいて前記表示手段に、前記複数の撮影対象を表示し、前記表示手段に表示された複数の撮影対象のうち前記指定手段によって指定された単数の撮影対象の記録体を表す記録体情報を、前記複数撮影情報から抽出する機能と、抽出した前記記録体情報に基づいて脂肪率のランクを読み取って、前記表示手段に表示する。
【００１３】
この魚の競り事前情報入手装置によれば、魚の脂肪率のランクを参考にして、競り場にいない競り参加者でも、競りに参加するか否かを決定し、参加する場合、その入札価格を決定することができる上に、撮影手段は、複数撮影情報をネットワークを介して情報受信手段に送信するだけでよく、撮影手段の構成を簡略化することができるし、ネットワークも複数撮影情報の情報受信手段への送信だけでよく、撮影手段と情報受信手段との間の情報の送受が不要であり、ネットワークの負担も少ない。
【００１４】
本発明による魚の競り事前情報入手装置のさらに別の態様は、競りにかけられる同一種類の複数の魚の測定された脂肪率をランク付けして得られた１つの魚のランクが記録され、当該ランクの魚と関連付けられて配置された記録体から、前記魚のランクを読み取る読み取り手段と、読み取った魚のランクを可視状態で出力する出力手段とを、有している。記録体は、上述したようなバーコードまたは２次元コードを記録したものを使用することもできるし、読み取り手段に近距離無線通信で情報の送信が可能なＲＦＩＤタグ、例えばＮＦＣタグを使用することもできる。出力手段は、表示手段とすることもできるし、印字手段とすることもできる。
【００１５】
このように構成された魚の競り事前情報入手装置では、この装置を携帯した競り参加者が、競り会場において、各魚を見て回り、関心のある魚の記録体の脂肪率のランクを読みとると、出力手段に可視状態でその魚の脂肪率のランクが出力される。この出力を見て、競りに参加するか否かを決定し、参加する場合、その入札価格を決定することができる。
【００１６】
本発明による魚の競り事前情報入手装置の別の他の態様も、読み取り手段と、出力手段とを有している。記録体には、前記魚の脂肪率が記憶されている。
【００１７】
このように構成された魚の競り事前情報入手装置では、この装置を携帯した競り参加者が、競り会場において、各魚を見て回り、関心のある魚の記録体の脂肪率を読みとると、出力手段に可視状態でその魚の脂肪率が出力される。この出力を見て、競りに参加するか否かを決定し、参加する場合、その入札価格を決定することができる。
【発明の効果】
【００１８】
以上のように、本発明による競り事前情報入手装置を使用すると、魚の外観以外に、脂肪率を基にして、競りに参加するか否か、参加する場合の入札価格をいずれに決定するかの情報を入手することができる。
【図面の簡単な説明】
【００１９】
【図１】本発明の第１の実施形態の魚の競り事前情報入手装置のブロック図である。
【図２】図１の魚の競り事前情報入手装置において使用されるタグへ情報を記録する装置のブロック図である。
【図３】図１の魚の競り事前情報入手装置の使用状態の説明図である。
【図４】図１の魚の競り事前情報入手装置のカメラ制御部での処理を示すフローチャートである。
【図５】図１の魚の競り事前情報入手装置の携帯端末での処理を示すフローチャートである。
【図６】第２の実施形態の魚の競り事前情報入手装置においてタグに記録される情報を示す図である。
【図７】第３の実施形態の魚の競り事前情報入手装置のカメラ制御部及び携帯端末での処理を示すフローチャートである。
【図８】第３の実施形態の魚の競り情報入手装置において使用されるタグへの情報を記録する装置のブロック図と、第３の実施形態の魚の競り情報入手装置の使用状態の説明図である。
【発明を実施するための形態】
【００２０】
本発明の第１の実施形態の魚の競り事前情報入手装置は、競り場から遠隔地にいる競り参加者でも、競り場にいるのと同様な情報を入手して、競りに参加できるようにするためのものである。この装置を使用する前提として、図１に示すように、競りの対象となる複数の魚２、２・・・・が競り場に配置されている。複数の魚２は、例えば同一種類のものである。各魚２には、記録体、例えばタグ４、４・・・が取り付けられている。タグ４には、識別子、例えばバーコードまたは２次元バーコードが記録されている。この識別子によって、タグ４が取り付けられている魚２の脂肪率が表されている。
【００２１】
図２に示すように、各魚２の脂肪率は、脂肪率測定器６によって測定され、そのデータが、無線や有線により制御手段、例えばパーソナルコンピュータ８に供給され、さらに印字手段、例えばバーコードプリンタ１０に無線や有線により供給され、脂肪率が表されたバーコードが印字されたタグ４が発行される。タグ４は、対応する魚２に取り付けられるか、対応する魚２の近傍に配置される。
【００２２】
なお、脂肪率測定器６は、携帯型のものを使用することができる。携帯型のものでは、脂肪率測定器６自体を魚２にそれぞれ接触させて、脂肪率を測定し、そのデータが有線または無線によりパーソナルコンピュータ８に供給され、バーコードプリンタ１０によってバーコードまたは２次元バーコードで脂肪率が表されたタグ４が発行される。また、脂肪率測定器６には、コンベヤのような搬送装置による搬送ラインを搬送されてくる魚の脂肪率を順次測定する自動測定型のものもある。この自動測定型のものでも、測定された脂肪率は、有線または無線により、パーソナルコンピュータ８に供給され、バーコードプリンタ１０によってバーコードが印字されたタグ４が順次発行される。なお、自動測定型のものの場合、搬送ライン中に計量装置を設け、各魚２を順次計量し、その計量値もバーコードまたは２次元バーコードによってタグ４に記録することもできる。その他、魚の種類等の情報や魚の識別番号も記録することができる。
【００２３】
このようなタグ４が取り付けられるか、傍に配置された魚２が、競り場に複数配置される。１匹の魚２とこれにタグ４が付されたものを１つの撮影対象として、複数の撮影対象を撮像手段、例えばビデオカメラ１２が撮影する。このビデオカメラ１２は、ビデオカメラ１２に付属するカメラ制御部１４によって、パン、チルト制御される。ビデオカメラ１２の映像信号は、カメラ制御部１４に供給され、カメラ制御部１２においてネット上に出力可能に処理され、ネット、例えばインターネット１６に出力される。
【００２４】
競り場から遠隔地にいる複数の競り参加者は、自分が有する情報送受信手段、例えばスマートフォンや携帯電話やタブレットパーソナルコンピュータやノート型パーソナルコンピュータのような携帯端末１８をインターネット１６に接続し、ビデオカメラ１２によって撮影された競り場の状況を受信する。受信された競り場の状況は、携帯端末１８が備える表示手段、例えば携帯端末１８の画面１８ａに、図３（ａ）に示すように表示される。
【００２５】
携帯端末１８は、指定手段、例えば指示キー（図示せず）を備えている。指示キーは、スマートフォンやタブレットパーソナルコンピュータであれば画面１８ａ上に表示され、携帯電話やノート型パーソナルコンピュータでは表示画面１８ａとは別に設けられている。競り参加者は、各魚２の映像を見て、興味のある魚があると、自分の携帯端末１８の指示キーを操作して、興味のある魚を指定して指定情報を発生させる。この指定情報が携帯端末１８からインターネット１６を介してカメラ制御部１４に送信される。なお、表示画面にタッチセンサが設けられているスマートフォン、タブレットパーソナルコンピュータ、ノート型パーソナルコンピュータを携帯端末１８として使用している場合では、表示画面の指定したい魚が表示されている部分をタッチすることによって、興味のある魚の指定情報を発生させることもできる。
【００２６】
カメラ制御部１４は、指定された魚のタグ４を図３（ｂ）に示すようにズームアップできるように、カメラ１２をパン、チルト制御して、そのズームアップ映像を撮影し、そのズームアップ映像情報はインターネット１６を介して指定情報を送信してきた携帯端末１８に送信する。なお、図３（ｂ）では、タグ４にはバーコードが印刷されているものとして示してある。
【００２７】
携帯端末１８で受信されたタグ４のズームアップ映像情報は、携帯端末１８が備える読み取り手段、例えばバーコード読み取り手段によって読み取られ、そのバーコードが表す脂肪率の値に変換され、図３（ｃ）に示すように表示される。なお、バーコードに脂肪率以外の情報、例えば魚の種類や魚の重量等も記録されている場合には、これらも表示される。
【００２８】
遠隔地の競り参加者は、表示された脂肪率を基に、この魚の競りに参加するか否か、参加する場合の入札価格をいくらにするかの決定を行う。或いは、他の魚２についても、同様に脂肪率を表示させ、それら複数の魚２の脂肪率を参考に、いずれの魚２に対していずれの入札価格で競りに参加するかを決定することもできる。競り場にいる競り参加者も、携帯端末１８を有していれば、携帯端末１８によってタグ４を撮影すると、携帯端末１８が、そのタグ４のバーコードまたは２次元バーコードを読み取って、そのタグ４に対応する魚の脂肪率を表示画面１８ａに表示することができる。
【００２９】
なお、複数の魚２が携帯端末１８の表示画面１８ａに表示されている状態で、直ちに関心のある魚の脂肪率を表示画面１８ａに表示させるようにしたが、関心のある魚の脂肪率を表示する前に、指示キーの操作によって、関心のある魚２単独の全体をズームアップした映像を携帯端末１８の表示画面に１８ａに表示し、その後に脂肪率を表示させるようにすることもできる。
【００３０】
図４にカメラ制御部１４が行う処理をフローチャートで示す。カメラ制御部１４は、複数の魚２とそれら魚２のタグ４とが撮影された映像をインターネット１６を介して送信する(ステップＳ２)。特定の魚の指定を携帯端末１８から受信したか判断し(ステップＳ４)、その答えがノーの場合、イエスになるまでステップＳ４をくりかえす。ステップＳ４の判断の答えがイエスになると、指定された魚のタグをズームアップするようにカメラ１２を制御する(ステップＳ６)。次に、ズームアップされたタグの映像を指定を行った携帯端末にインターネット１６を介して送信し(ステップＳ８)、ステップＳ２を再び実行する。
【００３１】
図５に携帯端末１８が行う処理をフローチャートで示す。携帯端末１８は、カメラ制御部１４から送信されている複数の魚とそれらに取り付けられているタグとの映像を表示する(ステップＳ１０)。携帯端末１８の操作者が指示キーの操作によって指示した特定の魚の指定をカメラ制御部１４に送信する(ステップＳ１２)。特定の魚のタグのズームアップ映像情報を受信したか判断し(ステップＳ１４)、その判断の答えがノーの場合、答えがイエスになるまでステップＳ１４を繰り返し、その判断の答えがイエスの場合、タグのズームアップ映像情報を読み取り、可視化し、表示画面１８ａに表示する(ステップＳ１６)。次に、この処理を中止する指示が指示キーから与えられているか判断し（ステップＳ１８）、その判断の答えがノーの場合には、ステップＳ１０の処理を行い、答えがイエスの場合には、この処理を中止する。
【００３２】
第２の実施形態の競り事前情報入手装置は、タグ４に記録される情報が、脂肪率に加えて、その脂肪率のランクも含んでいるものである。タグ４の情報の記録は、図２に示した脂肪率測定器６、パーソナルコンピュータ８及びバーコードプリンタ１０によって行わる。魚脂肪率測定器６によって各魚２の脂肪率が測定され、それらの脂肪率のデータがパーソナルコンピュータ８に供給される。例えば図６に示すようにｎ個の魚２が競り場に並べられる魚２であるとすると、これらｎ個の魚２の脂肪率の全てのデータがパーソナルコンピュータ８に供給されたとき、パーソナルコンピュータ８は、これら脂肪率のデータの統計処理を行い、例えば脂肪率の最も高いものから順にランクを決定し、そのランクと脂肪率とを、バーコードプリンタ１０によってバーコードまたは２次元バーコートとしてタグ４に印刷し、このタグ４を対応する魚に取り付けるか、傍に配置する。
【００３３】
以下、第１の実施形態と同様にビデオカメラ１２と携帯端末１８とで処理すれば、遠隔地の競り参加者が携帯端末１８によって、関心のある魚の脂肪率と、その脂肪率のランクとを知ることができる。競り場にいる競り参加人も、携帯端末１８によってタグ４を撮影すると、携帯端末１８が、そのタグ４のバーコードまたは２次元バーコードを読み取って、そのタグ４に対応する魚の脂肪率及び脂肪率のランクを表示画面１８ａに表示することができる。
【００３４】
第３の実施形態の競り事前情報入手装置も、第１及び第２の実施形態の競り事前情報入手装置と同様に、ビデオカメラ１２、カメラ制御部１４、インターネット１６及び携帯端末１８を有している。図７（ａ）に示すように、カメラ制御部１４は、複数の魚とタグとのカメラ映像を、インターネット１６を介して送信するのみである (ステップＳ２ａ)。携帯端末１８では、同図（ｂ）に示すように、カメラ制御部１４から送信されている複数の魚とそれらに取り付けられているタグとの映像を表示する(ステップＳ２０)。携帯端末１８の操作者が指示キーの操作によって特定の魚を指定する(ステップＳ２２)。これによって、携帯端末１８は、指定された特定の魚のタグの映像情報を、送信されて来ている複数の魚とタグとの映像情報から抽出する(ステップＳ２４)。さらに、携帯端末１８は、抽出したタグの映像情報を読み取り、可視化し、表示画面１８ａに表示する(ステップＳ２６)。次に、この処理を中止する指示が指示キーから与えられているか判断し（ステップＳ２８）、その判断の答えがノーの場合には、ステップＳ１０の処理を行い、答えがイエスの場合には、この処理を中止する。携帯端末１８は、ビデオカメラ１２からの映像情報を受信するのみで、ビデオカメラ１２側に情報を送信することはなく、情報受信手段として動作している。なお、表示画面にタッチセンサが設けられているスマートフォン、タブレットパーソナルコンピュータ、ノート型パーソナルコンピュータを携帯端末１８として使用している場合には、表示画面の指定したい魚が表示されている部分をタッチすることによって、興味のある魚の指定情報を発生させることもできる。
【００３５】
この第３の実施形態の競り事前情報入手装置では、第１の実施形態の競り事前情報入手装置と同様に、競り場から遠隔地にいる競り参加者でも、携帯端末１８に表示された脂肪率を基に、この魚の競りに参加するか否か、参加する場合の入札価格をいくらにするかの決定を行うことができるし、他の魚２についても、同様に脂肪率を表示させ、それら複数の魚２の脂肪率を参考に、いずれの魚２に対していずれの入札価格で競りに参加するかを決定することもできる。更に、カメラ制御部１４は、ビデオカメラ１２からの映像を送信するだけであるので、カメラ制御部１４の構成を簡略化することができる。また、インターネット１６は、カメラ制御部１４からの映像情報を携帯端末１８側に伝送するのみであるので、インターネット１６の負担は少ない。
【００３６】
なお、第３の実施形態の変形例として、魚２に取り付けられるタグ４の記録情報を、第２の実施形態のタグ４と同様に、タグ４が取り付けられている魚の脂肪率と、その脂肪率のランクとすることもできる。
【００３７】
第４の実施形態の競り事前情報入手装置は、競り場にいる競り参加者が使用するもので、タグとしては、例えばＮＦＣタグ４ａを使用している。図７（ａ）に示すように、魚脂肪率測定器６によって魚２の脂肪率を測定し、そのデータがパーソナルコンピュータ８に供給され、パーソナルコンピュータ８はＮＦＣタグライター１０ａによってＮＦＣタグ４ａに脂肪率を書き込む。このＮＦＣタグ４ａが、対応する魚２に取り付けられるか、近傍に配置される。
【００３８】
このようにＮＦＣタグ４ａが取り付けられるか近傍に配置された複数の魚２が競り場に配置される。携帯端末１８０を携帯した競り参加者が各魚２を見て回り、関心のある魚２があると、図７（ｂ）に示すように、携帯端末１８０をその魚２のＮＦＣタグ４ａに翳し、携帯端末１８０がＮＦＣタグ４ａと通信を行い、ＮＦＣタグ４ａに記録されている脂肪率が携帯端末１８０に送信され、携帯端末１８０の画面に脂肪率が表示される。この脂肪率を参考にして、この魚の競りに参加するか否か、参加する場合にはその入札価格を決定する。
【００３９】
なお、第４の実施形態の変形例として、複数の魚２の脂肪率を測定し、それらの全てのデータをパーソナルコンピュータ８に供給することによって、第２の実施形態の競り事前情報入手装置と同様に、脂肪率のランクを求め、各魚２の脂肪率ランクをＮＦＣタグ４ａに記録し、携帯端末１８０によって脂肪率のランクを読み取って、競りに参加するか否か、参加する場合にはその入札価格を決定することができる。
【００４０】
第１及び第３の実施形態では、測定した脂肪率をそのままタグ４に印字したが、例えば測定した脂肪率が予め定めた許容範囲内にあるか否かをパーソナルコンピュータ８で判定し、脂肪率が許容範囲内にあるものについて、タグ４に脂肪率を印字し、脂肪率が許容範囲外の魚については、許容範囲外であることをパーソナルコンピュータ８のディスプレイに表示するように構成することもできる。第２の実施形態や第３の実施形態の変形例におけるパーソナルコンピュータ８によるランク付けする対象の脂肪率も、許容範囲内にあるもののみとすることができる。同様に、第４の実施形態におけるＮＦＣタグに記録される脂肪率や脂肪率のランクも、許容範囲内にあるものの脂肪率や許容範囲内にある脂肪率のみを対象としたランクとすることもできる。第４の実施形態では、ＮＦＣタグ４ａを使用したが、これに代えてバーコードまたは２次元バーコードが表示されたタグを使用することもできる。また、第４の実施形態では、読み取った脂肪率または脂肪率のランクは、携帯端末１８０の画面に表示したが、これに加えて或いはこれとは別に印字手段、例えばプリンタによって紙に印字することもできる。上記の第１乃至第３の実施形態では、ビデオカメラ１２を使用したが、これに代えて静止画を撮影するスチールカメラを使用することもできる。
【符号の説明】
【００４１】
２  魚
４  ４ａ  タグ（記録体）
１２  ビデオカメラ（撮影手段）
１６  インターネット（ネットワーク）
１８  １８ａ  携帯端末（情報送受信手段、情報受信手段）
【図１】
2019114175.tif 000003
【図２】
2019114175.tif 000004
【図３】
2019114175.tif 000005
【図４】
2019114175.tif 000006
【図５】
2019114175.tif 000007
【図６】
2019114175.tif 000008
【図７】
2019114175.tif 000009
【図８】
2019114175.tif 000010